(57)【要約】【課題】資料提示装置１０は、ユーザがモニタ画面の近くで操作することで聴衆に対してプレゼンテーションを多面的かつ効果的に行なうことができ、しかもその操作も簡単である。【解決手段】資料提示装置１０は、表示装置４０に表示される映像の映像信号を出力する映像信号制御部５０と、リモコンＲＣとを備えている。映像信号制御部５０は、画像センサ３１ａによる撮影範囲におけるライブ映像を作成する映像信号処理部６０と、リモコンＲＣのズーム指令部からの指令を受けて、画像センサ３１ａの画像信号に基づき撮影範囲より縮小した静止画像を作成し、該静止画像をライブ映像上に重ね合わせたキャプチャウインドＰiＷで表示するとともに、位置指令部から指令を受けたときにキャプチャウインドの表示位置を変更するキャプチャ制御部とを備えている。【選択図】図８
2010278508.tif 000002
【特許請求の範囲】
【請求項１】
資料を撮影する画像センサからの画像信号を処理することで、表示装置に表示される映像の映像信号を出力する映像信号制御部と、該映像信号制御部に無線信号を出力することで上記表示装置に表示される映像を変更することを指令するリモコンとを備えた資料提示装置であって、
上記リモコンは、上記映像をキャプチャした静止画像を表示することを指令するキャプチャ指令部と、上記静止画像の表示位置を表示装置の画面上で移動することを指令する位置指令部とを備え、
上記映像信号制御部は、
上記画像センサによる撮影範囲におけるライブ映像を作成する映像信号処理部と、
上記キャプチャ指令部から指令を受けたときに、上記画像センサの画像信号に基づき上記撮影範囲より縮小した静止画像を作成し、該静止画像を上記ライブ映像上に重ね合わせたキャプチャウインドで表示するとともに、上記位置指令部から指令を受けたときに上記キャプチャウインドの表示位置を変更するキャプチャ制御部と、
を備えたこと、を特徴とする資料提示装置。
【請求項２】
請求項１に記載の資料提示装置において、
上記映像信号制御部は、上記キャプチャウインドのサイズおよび表示位置を複数の値から選択可能でありかつ予め設定するキャプチャ設定部を備え、
上記キャプチャ制御部は、上記キャプチャ設定部で設定されたサイズおよび表示位置に基づいて上記静止画像を表示するように構成した資料提示装置。
【請求項３】
請求項１に記載の資料提示装置において、
上記映像信号制御部は、上記ライブ映像を拡大するズーム映像制御部を備えている資料提示装置。
【発明の詳細な説明】
【技術分野】
【０００１】
本発明は、資料をカメラで撮影して画像を生成し、この画像を外部の表示装置に表示する資料提示装置に関するものである。
【背景技術】
【０００２】
資料提示装置は、特許文献１に記載されているように、カメラで撮影した資料をモニタ画面やプロジェクタに表示して、聴衆にプレゼンテーションを行なう場合などに利用されている。こうした資料提示装置は、資料を多面的に表示し、資料の内容を聴衆に対し効果的かつ簡単にプレゼンテーションできる機能が求められ、例えば、資料の要部を拡大したり強調したりして表示することができる機能が求められている。
【０００３】
しかし、従来の資料提示装置では、資料の要部を拡大したり、強調したりするための表示手段として、資料を載置している台やカメラの付近に設置したボタンなどを操作することにより行なう構成や、ユーザが資料の一部にマーカを付したりするなど、資料提示装置の付近で操作を必要としている。このため、ユーザがモニタ画面と離れた箇所で資料を説明することになり、聴衆に対するプレゼンテーションの効果を損ない易く、また、そのボタンなどの操作も面倒であるという課題があった。
【先行技術文献】
【特許文献】
【０００４】
【特許文献１】特開２００８−３０１０６９号公報
【発明の概要】
【発明が解決しようとする課題】
【０００５】
本発明は、上記従来の技術の問題点を解決することを踏まえ、プレゼンテーションの最中に、キャプチャ画像の表示を面倒な操作を行なうことがなく、簡単な操作で行なうことができる資料提示装置を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
適用例１は、資料を撮影する画像センサからの画像信号を処理することで、表示装置に表示される映像の映像信号を出力する映像信号制御部と、該映像信号制御部に無線信号を出力することで上記表示装置に表示される映像を変更することを指令するリモコンとを備えた資料提示装置であって、
上記リモコンは、上記映像をキャプチャした静止画像を表示することを指令するキャプチャ指令部と、上記静止画像の表示位置を表示装置の画面上で移動することを指令する位置指令部とを備え、
上記映像信号制御部は、
上記画像センサによる撮影範囲におけるライブ映像を作成する映像信号処理部と、
上記キャプチャ指令部から指令を受けたときに、上記画像センサの画像信号に基づき上記撮影範囲より縮小した静止画像を作成し、該静止画像を上記ライブ映像上に重ね合わせたキャプチャウインドで表示するとともに、上記位置指令部から指令を受けたときに上記キャプチャウインドの表示位置を変更するキャプチャ制御部と、
を備えたこと、を特徴とする。
【０００８】
適用例１の資料提示装置において、映像信号制御部が画像センサからの画像信号を信号処理して映像信号を出力することで、表示装置に映像を表示する。また、映像信号制御部は、リモコンからの指令に応じた無線信号を受信することで、表示装置に表示される映像を変更する。すなわち、映像信号制御部は、映像信号処理部が画像センサの撮影範囲におけるライブ映像を作成して表示装置に出力しているときに、リモコンのキャプチャ指令部から、静止画像をキャプチャすることを指令する無線信号を受けると、キャプチャ制御部は、画像センサからの画像信号の１フレーム分を記憶し、撮像範囲より縮小した静止画像を作成し、該静止画像を、ライブ映像上に重ねあわせてキャプチャウインドで表示する。また、キャプチャ制御部は、リモコンの位置指令部からの指令を受けると、キャプチャウインドの表示位置を変更する。したがって、ユーザは、資料から離れた表示装置の付近で、リモコンのワンタッチの操作により、画像センサによる撮像範囲における静止画像をライブ映像に重ね合わせてキャプチャウインドで表示させて、キャプチャした静止画像を参照しつつライブ映像でプレゼンテーションを行なうことができ、しかもそのキャプチャウインドの位置を変更することができる。よって、プレゼンテーションの最中に、キャプチャ画像のサイズや表示位置の設定などの面倒な操作を行なうことがなく、簡単な操作で静止画像をキャプチャ表示することができる。
【０００９】
適用例２の映像信号制御部は、上記キャプチャウインドのサイズおよび表示位置を複数の値から選択可能でありかつ予め設定するキャプチャ設定部を備え、
上記キャプチャ制御部は、上記キャプチャ設定部で設定されたサイズおよび表示位置に基づいて上記静止画像を表示するように構成することができる。これにより、ユーザにより種々の表示を行なうことができる。
【００１０】
適用例３の映像信号制御部は、上記ライブ映像を拡大するズーム映像制御部を備えている構成である。この構成により、ライブ映像と静止画像とを参照しつつプレゼンテーションを行なうことができる。
【００１１】
また、本発明は、資料提示装置を物の発明で実現しているが、これに限らず、リモコンの無線通信により特殊映像表示を実現する方法の発明により実現してもよい。
【図面の簡単な説明】
【００１２】
【図１】本発明の一実施例にかかる資料提示装置の概略構成を示す説明図である。
【図２】リモコンを説明する説明図である。
【図３】電子ズーム表示を説明する説明図である。
【図４】静止画像キャプチャ部分表示を説明する説明図である。
【図５】ハイライト表示を説明する説明図である。
【図６】マスキング表示を説明する説明図である。
【図７】マスキング表示の他の態様を説明する説明図である。
【図８】資料提示装置に搭載された映像信号制御部を説明するブロック図である。
【図９】操作パネルおよびモード設定部により設定されるＯＳＤの動作を説明する説明図である。
【図１０】ＯＳＤの設定を選択するためのインターフェースを説明する説明図である。
【図１１】ハイライト表示の範囲設定を説明する説明図である。
【図１２】ハイライト表示の透過度の設定を説明する説明図である。
【図１３】他の実施例にかかる特殊映像表示を説明する説明図である。
【図１４】他の実施例にかかる特殊映像表示を説明する説明図である。
【図１５】さらに他の実施例にかかる特殊映像表示を説明する説明図である。
【発明を実施するための形態】
【００１３】
（１）  資料提示装置１０の概略構成：
図１は本発明の一実施例にかかる資料提示装置１０の概略構成を示す説明図である。資料提示装置１０は、机などに載置される操作本体１１と、操作本体１１から上方に湾曲して伸びた支柱２０と、支柱２０の上端に固定されたカメラヘッド３０とを備え、さらにこれらに内蔵された映像信号制御部５０を制御するリモコンＲＣなどによって構成されている。
【００１４】
操作本体１１の上面には、操作パネル１２が設けられている。操作パネル１２には、電源スイッチ、後述するＯＳＤ（オンスクリーンディスプレイ）の操作ボタン、映像の出力先の切り換えを設定する各種ボタン、カメラ映像の明るさを調節するボタンなどが設けられている。また、操作本体１１の背面には、図示しないＤＣ電源端子や、アナログＲＧＢの入出力端子、ＵＳＢ端子などの各種の入出力端子が設けられている。
【００１５】
カメラヘッド３０は、ＣＣＤ（電荷結合素子）からなる画像センサ３１ａや光を集光するためのフォーカスレンズやズームレンズを有する撮像部３１と、撮像部３１に近接して設定された照明ランプ（図示省略）とを備え、さらに、撮像部３１のレンズの焦点を調節する焦点ボタン３３、光学ズームを設定するズームダイヤル３４などを備えている。画像センサ３１ａは、レンズを介して集光された光を画像信号に変換し、この画像信号を操作本体１１の内部に設けられた映像信号制御部５０（図８参照）に出力する。映像信号制御部５０は、種々の映像処理を施した上で、資料提示装置１０に接続された表示装置４０に出力する。表示装置４０としては、例えば、ＣＲＴや液晶ディスプレイ、プロジェクタ、テレビなどを利用することができる。
【００１６】
資料提示装置１０において、カメラヘッド３０の撮像部３１により資料Ｓｐを撮影し、この画像信号を映像信号制御部５０で処理することで、表示装置４０に資料を表示する。また、映像信号制御部５０は、リモコンＲＣからの無線信号を受信することで、複数の特殊映像表示を行なう。こうした特殊映像表示として、電子ズーム表示、静止画像キャプチャ部分表示、ハイライト表示およびマスキング表示を備えている。
【００１７】
図２はリモコンＲＣを説明する説明図である。リモコンＲＣは、各種ボタンを備えており、すなわち、電源ボタンＰｗ、上ボタンＤｕ、下ボタンＤｄ、右ボタンＤｒおよび左ボタンＤｌを周囲に配置した方向ボタンＲＤ（位置指令部）、方向ボタンＲＤの中央部に配置された決定／メニューボタンＲＮｕを備えている。また、特殊映像表示を起動／終了させるためのボタンとして、ハイライトボタンＨｉ（ハイライト指令部）、マスキングボタンＭｋ（マスキング指令部）、ズームボタンＺｍ（ズーム指令部）が図示の横方向に配置され、また、その下方に静止画像キャプチャボタンＰｉ（キャプチャ指令部）が配置され、さらに、戻りボタンＲＲｔ、外部メモリや外部コンピュータとの入出力を切り換えるための各種のボタンが配置されている。
【００１８】
（２）  特殊映像表示の概略：
次に、特殊映像表示について、資料Ｓｐ（図１参照）として複数のアルファベットを記載した紙面を用い、この紙面を撮像して表示装置４０上に映像を表示した場合で説明する。
【００１９】
（２）−１  電子ズーム表示
図３は電子ズーム表示を説明する説明図である。資料提示装置１０は、図３（Ａ）の通常のライブ映像を表示している状態にて、リモコンＲＣのズームボタンＺｍが押されると、表示装置４０の画面上の中央のズーム領域Ｚ（Ｂ）を拡大したライブ映像を図３（Ｂ）に示すように表示する。すなわち、表示されるライブ映像は、予めユーザにより設定された倍率で資料の一部を拡大した映像である。また、ズーム領域Ｚは、リモコンＲＣの移動操作によって、画面上の任意の位置に変更することができる。例えば、図２の方向ボタンＲＤの下ボタンＤｄおよび右ボタンＤｒを押すことにより図３（Ｃ）に示すようなズーム領域Ｚ（Ｃ）に変更することができる。さらに、リモコンＲＣのズームボタンＺｍが押されると、電子ズーム表示が解除され、図３（Ａ）の表示に戻る。
【００２０】
（２）−２  静止画像キャプチャ部分表示
図４は静止画像キャプチャ部分表示を説明する説明図である。資料提示装置１０は、図４（Ａ）の通常のライブ映像を表示している状態にて、リモコンＲＣの静止画像キャプチャボタンＰｉが押されると、撮像部３１からの画像信号が１フレーム分だけ静止画像として一時的に記憶され、さらに、１／４にリサイズされたキャプチャウインドＰiＷが作成され、ライブ映像に重ね合わされて、表示装置４０の画面上の左下に表示される。また、このキャプチャウインドＰiＷは、リモコンＲＣの移動操作によって表示装置４０の画面上を左上、右上、左下のように移動することができる。例えば、図２の方向ボタンＲＤの右ボタンＤｒを押すことにより、図４（Ｃ）のように画面の右下に移動することができる。さらに、リモコンＲＣの静止画像キャプチャボタンＰｉが押されると、静止画像キャプチャ部分表示が解除され、図４（Ａ）の表示に戻る。
【００２１】
（２）−３  ハイライト表示
図５はハイライト表示を説明する説明図である。資料提示装置１０は、図５（Ａ）の通常のライブ映像を表示している状態にて、リモコンＲＣのハイライトボタンＨｉが押されると、表示装置４０の画面上にハイライト領域ＨＲを表示する。このハイライト領域ＨＲは、予めユーザにより設定されたサイズおよび他の領域より輝度が異なる透過率で設定される。また、このハイライト領域ＨＲは、リモコンＲＣの移動操作によって、画像中の任意の位置に変更することができる。例えば、図２の方向ボタンＲＤの下ボタンＤｄを押すことにより図５（Ｃ）のように画面の中央下に移動することができる。さらに、リモコンＲＣのハイライトボタンＨｉが押されると、ハイライト表示が解除され、図５（Ｃ）の表示に戻る。
【００２２】
（２）−４  マスキング手段
図６はマスキング表示を説明する説明図である。資料提示装置１０は、図６（Ａ）の通常のライブ映像を表示している状態にて、リモコンＲＣのマスキングボタンＭｋが押されると、表示装置４０の全画面をマスキング領域ＭＲとして表示する。このマスキング領域ＭＲは、予めユーザにより設定された透過率、つまりマスキング領域ＭＲを他の領域に対して輝度を小さくした表示である。また、マスキング領域ＭＲは、リモコンＲＣの移動操作によって、画面の水平方向へ移動することができる。すなわち、リモコンＲＣの方向ボタンＲＤの右ボタンＤｒを１度押す毎に、図６（Ｃ）〜図６（Ｈ）のように、マスキング領域ＭＲを所定の幅だけ水平方向に移動することができる。また、方向ボタンＲＤの左ボタンＤｌを押すことにより、マスキング領域ＭＲを図６（Ｄ）から図６（Ｃ）の表示に戻すこともできる。さらに、リモコンＲＣのマスキングボタンＭｋが押されると、マスキング表示が解除され、図６（Ａ）の表示に戻る。また、ユーザの設定により、マスキング領域ＭＲは、図７に示すように、垂直方向へ移動する態様にも変更することができる。
【００２３】
（３）  資料提示装置１０の映像信号制御部５０の構成：
図８は資料提示装置１０に搭載された映像信号制御部５０を説明するブロック図である。映像信号制御部５０は、カメラヘッド３０の撮像部３１の画像センサ３１ａから入力した画像信号に対して、補間処理、ホワイトバランス処理、ガンマ補正などの種々の処理を施すことで、表示装置４０に表示される映像の映像信号を出力する回路である。映像信号制御部５０は、映像信号処理部６０と、キャプチャ回路７０（キャプチャ制御部）と、ハイライト回路８０と、マスキング回路８２と、ズーム回路８４（ズーム映像制御部）と、ビデオＤＡＣ８６と、リモコンＲＣからの無線信号を受信する受信部８８と、これらの回路などを制御するマイクロコンピュータ９０とを備えている。
【００２４】
映像信号処理部６０は、画像信号の画素に欠落している色成分値を周囲の画素の色成分から生成する補間回路６１と、資料の白色部分が白色として再現されるように補正するホワイトバランス回路６２と、映像信号のガンマ特性を調整してコントラストを明瞭にするガンマ補正回路６３と、色相を補正する色変換回路６４と、輪郭を強調するエッジ強調回路６５と、データ処理回路６６とを備えている。ここで、データ処理回路６６は、Ｒ（赤）、Ｇ（緑）、Ｂ（青）の３原色成分（つまり、ＲＧＢの色空間）で表示されたＲＧＢ画像データを、Ｙ（輝度）、Ｃｂ，Ｃｒ（色相）（つまり、ＹＣｂＣｒの色空間）で表示されたＹＣｂＣｒ画像データに変換して、輝度や色相を単独で扱うことにより、比較的、画質の劣化を抑えた画像データの圧縮を行なう回路である。この映像信号処理部６０の構成により、画像センサ３１ａによる画像信号に各種の処理を施して、撮影範囲の全体にわたるライブ映像が作成される。
【００２５】
キャプチャ回路７０は、図４で説明した静止画像キャプチャ部分表示を実現するための回路であり、第１調停回路７１と、リサイズ回路７２と、第２調停回路７３と、一定周期のクロック信号に同期して動作するＳＤＲＡＭなどからなるメモリ７４，７５と、画像合成回路７６とを備えている。第１調停回路７１は、マイクロコンピュータ９０からの指令により、画像センサ３１ａからの画像信号を１フレーム分静止画像データとして取り込む回路である。この静止画像データは、メモリ７４に一時的に記憶され、さらに所定のタイミングにより読み出されてリサイズ回路７２により１／４のサイズに縮小され、第２調停回路７３に送られる。第２調停回路７３は、縮小した静止画像データをメモリ７５に一時的に保存するとともに、マイクロコンピュータ９０からの指令により画像合成回路７６に送る。画像合成回路７６は、映像信号処理部６０から出力されるライブ映像の信号に、画面の１／４サイズの静止画像を重ね合わせて、次段のハイライト回路８０に送る。ここで、画像合成回路７６は、リモコンＲＣの方向ボタンの操作によって、マイクロコンピュータ９０を介してキャプチャウインドＰiＷの表示位置を変更できるように構成されている。
【００２６】
ハイライト回路８０は、図５で説明したライブ映像の一部にハイライト領域ＨＲを設定する信号を作成する回路である。このハイライト領域ＨＲは、後述するように予めユーザにより設定されたサイズ、透過率で設定される。また、このハイライト領域ＨＲは、リモコンＲＣの方向ボタンＲＤの操作によって、マイクロコンピュータ９０を介して画像中の任意の位置に変更できるように構成されている。
【００２７】
マスキング回路８２は、図６および図７で説明したライブ映像の一部にマスキング領域を設定する信号を作成する回路である。このマスキング領域ＭＲは、後述するように予めユーザにより設定された方向、透過率で設定される。また、このマスキング領域は、リモコンＲＣの方向ボタンＲＤの操作によって、マイクロコンピュータ９０を介して画像中の任意の位置に変更することができる。
【００２８】
ズーム回路８４は、図３で説明したライブ映像の一部を拡大したズーム表示するための信号を作成する回路である。このズーム表示は、予めユーザにより設定された倍率で行なわれる。また、ズームの範囲は、リモコンＲＣの移動操作によって、マイクロコンピュータ９０を介して画像中の任意の位置に変更することができる。
【００２９】
ビデオＤＡＣ８６は、ズーム回路８４から出力されたデジタル信号をアナログＲＧＢ信号に変換して表示装置４０に送る回路であり、このＲＧＢ信号によるライブ映像を送るとともに、種々の特殊映像表示も送られる。マイクロコンピュータ９０は、ＣＰＵ９１、不揮発性メモリであるＦＬＡＳＨメモリ９２、ＲＡＭ９３を備えている。また、ＣＰＵ９１は、後述するＯＳＤを設定するためのモード設定部１００を内蔵している。ＦＬＡＳＨメモリ９２には、上述した各回路や特殊映像表示、ＯＳＤを制御するためのプログラムが記録されている。ＣＰＵ９１は、ＲＡＭを作業領域として用いつつ、このプログラムを実行する。また、マイクロコンピュータ９０は、リモコンＲＣの受信部８８を接続しており、リモコンＲＣからの信号を受信し、操作パネル１２の操作によりＣＰＵ９１のモード設定部１００で設定された設定値を上述した各部に出力して制御する。
【００３０】
図９は操作パネル１２およびモード設定部１００により設定されるＯＳＤの動作を説明する説明図である。ＯＳＤは、資料提示装置１０に対する種々の設定や操作を行うためのグラフィカルなユーザインタフェースである。操作パネル１２には、様々な操作ボタンが配置されており、電源ボタン１２Ｐｗ、上ボタン１２Ｄｕ、下ボタン１２Ｄｄ、右ボタン１２Ｄｒおよび左ボタン１２Ｄｌを周囲に配置した方向ボタン１２Ｄ、方向ボタン１２Ｄの中央部に配置された決定／メニューボタン１２Ｎを備えている。
【００３１】
図１０はＯＳＤの設定を選択するためのインターフェースを説明する説明図である。いま、決定／メニューボタン１２Ｎを押すと、画面上に、色調やカメラの調整の他に、特殊映像表示の設定項目が表示される。これらを方向ボタン１２Ｄにより適宜選択することにより、特殊映像表示の初期値からの他の設定値への変更を行なうことができる。すなわち、決定／メニューボタン１２Ｎを押すと、「電子ズームモード」、「ハイライトモード」および「マスキングモード」の項目が選択され、これを方向ボタン１２Ｄで選択し、決定／メニューボタン１２Ｎで選択する。ここで、電子ズームモードを選択すると、２倍、３倍、４倍の拡大倍率を選択するための画面が表示され、方向ボタン１２Ｄの操作で選択した後に、決定／メニューボタン１２Ｎを押すことで倍率を決定する。この設定倍率は、ＣＰＵ９１によりＲＡＭ９３に保存され、リモコンＲＣのズームボタンＺｍが押されたときに有効になる。
【００３２】
決定／メニューボタン１２Ｎを押した後に、「ハイライトモード」を選択すると、「領域設定」および「透過度」の項目が表示される。ここで、「領域設定」を選択すると、図１１（Ａ）に示すように、初期値のハイライト領域ＨＲ０が表示される。そして、方向ボタン１２Ｄでサイズを調節することができる。例えば、右ボタン１２Ｄｒを押すことで、図１１（Ｂ）のハイライト領域ＨＲ１のように横方向のサイズを拡大でき、上ボタン１２Ｄｕを押すことで、図１１（Ｃ）のハイライト領域ＨＲ２に示すように縦方向のサイズを拡大できる。一方、「透過度」を選択すると、図１２に示すように設定画面が表示され、上ボタン１２Ｄｕまたは下ボタン１２Ｄｄの操作によりその値を変更することができる。ここで、透過度は、ハイライト領域を除く領域につき、輝度を低く設定する度合いをいう。つまり、ハイライト領域を除く領域にて、ハイライト領域よりも輝度を下げるとともに、その下げる輝度の数を設定する。例えば、画像を構成する画素毎に０から２５５までの値をとる輝度値が出力される場合には、０を下限値として各色の画素値から設定値を減算する。こうすることで、ハイライト領域ＨＲがそれ以外の領域に対して相対的に明るく表示されることになる。
【００３３】
また、決定／メニューボタン１２Ｎを押した後に、「マスキングモード」を選択すると、「移動方向」および「透過度」の項目が表示される。「移動方向」を選択した場合には「垂直」および「水平」が表示され、「垂直」を選択すると、図６のようにマスキング領域ＭＲが横方向へ移動するモードとなり、「水平」を選択すると、図７のようにマスキング領域が上下方向へ移動するモードとなる。一方、「透過度」を選択すると、ハイライト領域の透過度の設定と同様に、マスキング領域の透過度を設定することができる。
【００３４】
（４）  実施例の作用・効果
上記実施例の構成により得られる作用・効果について説明する。
映像信号制御部５０の映像信号処理部６０は、撮像部３１からの画像信号を信号処理することにより、ビデオＤＡＣ８６を介して表示装置４０にライブ映像を表示することができる。そして、ユーザは、資料から離れた表示装置４０の付近で、リモコンＲＣのワンタッチのボタン操作により、以下のような特殊映像表示によって、プレゼンテーションを多面的かつ効果的に行なうことができる。
【００３５】
（４）−１  リモコンＲＣのズームボタンＺｍを押すと、予め設定された拡大倍率にて、ライブ映像の一部を拡大した映像が表示され、その拡大範囲も方向ボタンＲＤの操作により移動することができる。しかも、ズーム映像の拡大倍率を予め設定しておくことで、ユーザの設定による種々の要求に対応することができる。
【００３６】
（４）−２  リモコンＲＣの静止画像キャプチャボタンＰｉを押すと、ライブ映像が縮小されて画面上に静止画像として表示され、しかもその静止画像も方向ボタンＲＤの操作により移動することができる。
【００３７】
（４）−３  リモコンＲＣのハイライトボタンＨｉを押すと、予め他の領域と異なる輝度で設定されたハイライト領域が表示され、そのハイライト領域も方向ボタンＲＤの操作により移動することができる。しかも、ハイライト領域と他の領域との輝度差も予め設定しておくことで、ユーザの設定による種々の要求に対応することができる。
【００３８】
（４）−４  リモコンＲＣのマスキングボタンＭｋを押すと、予め他の領域と異なる輝度で設定されたマスキング領域ＭＲが表示され、そのマスキング領域ＭＲも方向ボタンＲＤの操作により移動することができる。しかも、マスキング領域ＭＲと他の領域との輝度差も予め設定しておくことで、ユーザの設定による種々の要求に対応することができる。
【００３９】
（５）  他の実施例
この発明は上記実施例に限られるものではなく、その要旨を逸脱しない範囲において種々の態様において実施することが可能であり、例えば次のような変形も可能である。
【００４０】
（５）−１  図１３および図１４は他の実施例にかかる特殊映像表示を説明する説明図である。本実施例は、静止画像キャプチャ部分表示と電子ズーム表示とを同時に機能させる構成に特徴を有する。すなわち、図１３（Ａ）の通常のライブ映像を表示している状態にて、静止画像キャプチャボタンＰｉが押されると、図１３（Ｂ）に示すように画面の左下にキャプチャウインドＰiＷが表示され、ライブ映像の全体が静止画像として表示される。この状態にて、ズームボタンＺｍを押すと、静止画像を拡大させずに、資料の一部をライブ映像で拡大表示させることができる。これにより、資料の全体を静止画像として確認しつつ、資料の一部をライブ映像で拡大表示させる方法で使用することができる。また、図１４（Ａ）に示すように通常のライブ映像を表示している状態にて、ズームボタンＺｍを押して図１４（Ｂ）に示すように電子ズーム表示を行ない、さらに静止画像キャプチャボタンＰｉを押し、さらにズームボタンＺｍを押すと、図１４（Ｃ）に示すようにズームした静止画像を表示しつつ、通常のサイズのライブ映像を表示することができる。これにより、資料の全体と要部との関係が分かりやすい方法で使用することができる。
【００４１】
（５）−２  図１５はさらに他の実施例にかかる特殊映像表示を説明する説明図である。本実施例は、電子ズーム表示につき、ライブ映像の一部を拡大してウインド表示する構成に特徴を有する。すなわち図１５（Ａ）の通常のライブ映像を表示している状態から、ズームボタンＺｍを押すことで、一部をズームしたズームウインドＺｍＷを作成し（図１５（Ｂ））、これをリモコンＲＣの方向ボタンＲＤにより移動させるよう構成にしてもよい（図１５Ｃ））。この構成により、資料の細かい部分を拡大表示する方法で使用することができる。
【００４２】
（５）−３  上記実施例では、ＯＳＤの設定を操作本体１１の操作パネル１２により行なう構成としたが、これに限らず、リモコンＲＣの操作でＯＳＤの操作を行なってもよい。この場合に、電池がバックアップ電源になり、電源オフの場合にもユーザの設定を保持することができる。
【００４３】
（５）−４  ユーザの特殊映像表示につき、ユーザのＯＳＤによる設定として、上述した項目の他に、種々の設定を加えることができ、例えば、マスキングの移動量やキャプチャ静止画像の大きさ、ハイライト表示やマスキング表示においてハイライト領域またはマスキング領域と他の領域との区別を鮮明にするために、色を変更するなどの項目を予め設定できるようにしてもよい。
【００４４】
（５）−５  図８において、特殊映像表示を実現するための構成として、キャプチャ回路７０、ハイライト回路８０、マスキング回路８２およびズーム回路８４により主に得られているが、これらは、その機能に応じて適宜選択することができる。
【００４５】
（５）−６  ソフトウェアによって実現した機能はハードウェアによって実現するものとしてもよいし、その逆もまた可能である。
【符号の説明】
【００４６】
１０…資料提示装置
１１…操作本体
１２…操作パネル
１２Ｄ…方向ボタン
１２Ｎ…決定／メニューボタン
１２Ｄｄ…下ボタン
１２Ｄｌ…左ボタン
１２Ｄｒ…右ボタン
１２Ｄｕ…上ボタン
１２Ｐｗ…電源ボタン
２０…支柱
３０…カメラヘッド
３１…撮像部
３１ａ…画像センサ
３３…焦点ボタン
３４…ズームダイヤル
４０…表示装置
５０…映像信号制御部
６０…映像信号処理部
６１…補間回路
６２…ホワイトバランス回路
６３…ガンマ補正回路
６４…色変換回路
６５…エッジ強調回路
６６…データ処理回路
７０…キャプチャ回路
７１…第１調停回路
７２…リサイズ回路
７３…第２調停回路
７４，７５…メモリ
７６…画像合成回路
８０…ハイライト回路
８２…マスキング回路
８４…ズーム回路
８６…ＤＡＣビデオ
８８…受信部
９０…マイクロコンピュータ
９１…ＣＰＵ
９２…ＦＬＡＳＨメモリ
９３…ＲＡＭ
１００…モード設定部
ＨＲ…ハイライト領域
Ｈｉ…ハイライトボタン
ＭＲ…マスキング領域
Ｍｋ…マスキングボタン
ＰiＷ…キャプチャウインド
Ｐｉ…静止画像キャプチャボタン
Ｐｗ…電源ボタン
ＲＣ…リモコン
ＲＤ…方向ボタン
Ｄｄ…下ボタン
Ｄｌ…左ボタン
Ｄｒ…右ボタン
Ｄｕ…上ボタン
ＲＮｕ…決定／メニューボタン
ＲＲｔ…戻りボタン
Ｓｐ…資料
Ｚ…ズーム領域
Ｚｍ…ズームボタン
ＺｍＷ…ズームウインド
【図１】
2010278508.tif 000003
【図２】
2010278508.tif 000004
【図３】
2010278508.tif 000005
【図４】
2010278508.tif 000006
【図５】
2010278508.tif 000007
【図６】
2010278508.tif 000008
【図７】
2010278508.tif 000009
【図８】
2010278508.tif 000010
【図９】
2010278508.tif 000011
【図１０】
2010278508.tif 000012
【図１１】
2010278508.tif 000013
【図１２】
2010278508.tif 000014
【図１３】
2010278508.tif 000015
【図１４】
2010278508.tif 000016
【図１５】
2010278508.tif 000017